(57)【特許請求の範囲】
【請求項１】
レバータンブラー錠の少なくとも１個のタンブラーを休止タンブラーとして指定し、休止タンブラーの自由端部内側端縁に係止突起を形成して、コンストラクション装置作動時、この係止突起をバックアップピンに係合させることにより休止タンブラーを不作動状態に置き、もって休止タンブラーに臨む部分の側端縁部を切り欠いた工事専用のコンストラクションキーの使用を可能にし、一方、コンストラクション装置作動時上記休止タンブラーと係合する部分の近傍を切り欠いたバックアップピンを、軸線方向に一定距離移動可能に案内すると共に、上記切り欠き部分が休止タンブラーと整合する方向に付勢し、他方、コンストラクション装置作動時上記バックアップピンと係合してこれをコンストラクション装置作動位置に係止する作動板を内筒半径方向に移動可能に設けると共に、この作動板をバックアップピンと係合する方向に付勢し、また、この作動板に重合するように配設され、かつ、作動板と係合して共に内筒半径方向に移動可能に案内されたリセットタンブラーの自由端部外側縁に、コンストラクションキーが鍵孔に挿入された時ロッキングバーと整合する解錠切り欠きを形成し、もってコンストラクションキー使用時ロッキングバーのリセットタンブラーの切り欠きへの係入を許して作動板をバックアップピン係止位置に保持し、リセットタンブラーに臨む部分の側端縁にコンストラクションキーとは異なる鍵溝を形成した住戸鍵の操作時、内筒の回動に起因するロッキングバーの内筒半径方向の移動を利用し、ロッキングバーとリセットタンブラーの自由端外側端縁との係合、並びに、リセットタンブラー及びリセットタンブラーと作動板との係合部を介してロッキングバーにより作動板を動かし、作動板によるバックアップピンの係止を解いてバックアップピンを解放し、もってバックアップピンの切り欠き部分と休止タンブラーとを整合させて、コンストラクション装置を解除するようにしたことを特徴とするコンストラクション装置付レバータンブラー錠。
【請求項２】
上記リセットタンブラーと作動板との係合部が、作動板のリセットタンブラーに対向する面に突設され、リセットタンブラーの自由端部の内側端縁に臨むリセット突起である請求項１記載のコンストラクション装置付レバータンブラー錠。
【請求項３】
上記リセットタンブラーと作動板との係合部が、リセットタンブラーの作動板に対向する面に突設され、作動板に開口したピン孔と嵌合したリセットピンである請求項１記載のコンストラクション装置付レバータンブラー錠。
【発明の詳細な説明】
【０００１】
【産業上の利用分野】
本発明は、コンストラクション装置付レバータンブラー錠（以下単にコンス・タンブラー錠という）に係り、特に、コンストラクション装置を合鍵で解除できるようにしたコンス・タンブラー錠に関する。
【０００２】
【従来の技術】
レバータンブラー錠は、内周面の母線にそってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を揺動自在に軸支され、鍵孔に挿通された鍵の側端縁と干渉する方向に付勢されると共に、常態では内筒を軸線方向に貫通するバックアップピンに係止され、且つ自由端部外側縁にロッキングバーの内側縁を受入れる解錠切り欠きを形成したタンブラーを挿設し、これらのタンブラー群の夫々が鍵孔に挿通された合鍵の対応する鍵溝と係合したとき、各タンブラーの解錠切り欠きがロッキングバーの内側縁と整合するようにしたもので、所謂シリンダー錠の一種である。
【０００３】
又、コンストラクション装置とは、工事中はコンストラクションキー（工事専用鍵）という特殊な鍵で各住戸の錠前の施解錠を行い、工事完了後に、コンストラクション装置を解除すれば、コンストラクションキーは使用不能となり、以後施主又は入居者が使う合鍵（住戸鍵）だけが使えるようになる装置のことで、工事中における施工者の錠前施解錠作業及び鍵管理業務の合理化を図り、更に施主又は入居者のより一層の安全を確保するために案出されたものである。
【０００４】
尚、ここで合鍵とは、所謂スペアキー（予備の鍵）のことではなく、一の錠前を解錠するための正規の鍵形状を有する鍵をいうものとする。
【０００５】
従来のコンストラクション装置は、例えば、レバータンブラー錠内部の複数のタンブラーの内選択された少なくとも１個のタンブラーを係止部材で解錠可能位置に係止し、すなわちこれら選択されたタンブラーを工事中一時的に不作動状態にし、残余の作動状態にあるタンブラーだけを操作する合鍵とは異なる工事専用鍵をコンストラクションキーとして工事中用い、工事完了後は業者が特殊な工具を用いて上記選択されたタンブラーの係止を解いて作動状態に戻すようにしていた。
【０００６】
【発明が解決しようとする課題】
しかして、上記業者は、特殊工具と共にコンストラクション装置を解除したことを確認するために施主等に引き渡すべき合鍵も持参しなければならず、紛失や悪意あるものによる合鍵の複製の可能性が全く無いとは言い切れない。
【０００７】
そこで、本出願人等は先に、特願昭５９−９２３８号（特公平３−９９８８号）をもって、施主や入居者に手交された合鍵の最初の使用により、施主又は入居者が自ら、且つ直接に、コンストラクション装置を解除できるコンス・タンブラー錠を提案した。
【０００８】
本発明は、上記本出願人等の先の提案に係るコンス・タンブラー錠を改良し、その作動の確実性、及び円滑性を向上させることを目的としている。
【０００９】
【課題を解決するための手段】
上記の目的を達成するため、請求項１に記載の発明は、レバータンブラー錠の少なくとも１個のタンブラーを休止タンブラーとして指定し、休止タンブラーの自由端部内側端縁に係止突起を形成して、コンストラクション装置作動時、この係止突起をバックアップピンに係合させることにより休止タンブラーを不作動状態に置き、もって休止タンブラーに臨む部分の側端縁部を切り欠いた工事専用のコンストラクションキーの使用を可能にし、一方、コンストラクション装置作動時上記休止タンブラーと係合する部分の近傍を切り欠いたバックアップピンを、軸線方向に一定距離移動可能に案内すると共に、上記切り欠き部分が休止タンブラーと整合する方向に付勢し、他方、コンストラクション装置作動時上記バックアップピンと係合してこれをコンストラクション装置作動位置に係止する作動板を内筒半径方向に移動可能に設けると共に、この作動板をバックアップピンと係合する方向に付勢し、また、この作動板に重合するように配設され、かつ、作動板と係合して共に内筒半径方向に移動可能に案内されたリセットタンブラーの自由端部外側縁に、コンストラクションキーが鍵孔に挿入された時ロッキングバーと整合する解錠切り欠きを形成し、もってコンストラクションキー使用時ロッキングバーのリセットタンブラーの切り欠きへの係入を許して作動板をバックアップピン係止位置に保持し、リセットタンブラーに臨む部分の側端縁にコンストラクションキーとは異なる鍵溝を形成した住戸鍵の操作時、内筒の回動に起因するロッキングバーの内筒半径方向の移動を利用し、ロッキングバーとリセットタンブラーの自由端外側端縁との係合、並びに、リセットタンブラー及びリセットタンブラーと作動板との係合部を介してロッキングバーにより作動板を動かし、作動板によるバックアップピンの係止を解いてバックアップピンを解放し、もってバックアップピンの切り欠き部分と休止タンブラーとを整合させて、コンストラクション装置を解除するようにしたことを特徴とする。
【００１０】
【作用】
上記のように構成された請求項１に記載の発明によるコンス・タンブラー錠は、コンストラクション装置が作動しているときには、バックアップピンが、作動板により、その付勢力に抗して、コンストラクション装置作動位置に係止されている。
【００１１】
バックアップピンがコンストラクション装置作動位置にあるときには、休止タンブラーの係止突起がバックアップピンによって不作動位置に係止される。
【００１２】
換言すれば、休止タンブラーの夫々に対応する合鍵の鍵溝の深さに応じて、係止突起がバックアップピンに係止された状態において、休止タンブラーの自由端部外側縁に形成された解錠切り欠きがロッキングバーと整合するように、解錠切り欠きの形成位置が設定されている。
【００１３】
したがって、休止タンブラーは予め解錠位置に係止されているから、通常この休止タンブラーに臨む部分を切り欠いて細くしたコンストラクションキーを鍵孔に挿入すると、休止タンブラー以外のタンブラーに臨む部分に合鍵と同じ鍵溝を形成してあれば、このコンストラクションキーは全タンブラーを解錠位置に揃えることができ、したがって工事専用鍵として使用できる。
【００１４】
ちなみに、コンストラクションキーの鍵違いは、休止タンブラー以外のタンブラーの組合せにより得るわけである。
【００１５】
一方、鍵孔にコンストラクションキーを挿入した時、リセットタンブラーの自由端部外側縁に形成された解錠切り欠きもロッキングバーと整合しているから、コンストラクション装置作動時リセットタンブラーもその解錠切り欠きへのロッキングバーの係入を許容し、リセットタンブラーとロッキングバーとの干渉は生じない。
【００１６】
しかして、工事終了後住戸鍵となる合鍵を鍵孔へ挿入すると、合鍵のリセットタンブラー以外のタンブラーに臨む部分の鍵溝は、正規の鍵溝形状（深さ）となっているから、リセットタンブラー以外のタンブラーは全部解錠位置にあり、各々の自由端部外足縁の解錠切り欠きはロッキングバーに整合している。
【００１７】
しかしながら、リセットタンブラーに臨む合鍵の側端縁の鍵溝深さはコンストラクションキーのそれとは異なっているから、リセットタンブラーの解錠切り欠きはロッキングバーとは整合しなくなる。
【００１８】
この状態で合鍵を回すと、外筒のカム溝とロッキングバーとの間に生じる楔作用により、ロッキングバーは内筒半径方向に移動する。
【００１９】
このとき、ロッキングバーは、リセットタンブラーの自由端部を移動方向に押動し、リセットタンブラー及びリセットタンブラーと作動板との係合部を介して作動板を内筒半径方向に移動させる。
【００２０】
すると、作動板とバックアップピンとの係合が解け、バックアップピンが解放される結果、バックアップピンは、その付勢力により、休止タンブラーとバックアップピンの切り欠き部分とが整合する方向に移動する。
【００２１】
休止タンブラーとバックアップピンの切り欠き部分が整合すると、休止タンブラーの係止突起はこの切り欠き部分を潜り抜けるから、休止タンブラーは作動状態に戻る。このようにしてコンストラクション装置は解除される。
【００２２】
一方、作動板のバックアップピンとの係合部はバックアップピンに乗り上がり、作動板及び係合部を介してこれと一体的に連結されたリセットタンブラーは移動終了状態を安定に保つ。
【００２３】
この移動終了状態は、次にコンストラクションキーを挿入しても変ることは無く、要するにこのコンストラクション装置の解除は不可逆的に行われる。
【００２４】
【実施例】
以下、この発明の実施例を図面を参照して説明する。尚、以下の説明において、ロータリーディスクシリンダー錠とも称されるレバータンブラー錠の構造は周知であるから、以下に極簡単に説明する。
【００２５】
図１及び図２において符号１は回り止めの凸条２、２を一体的に結合した外筒であって、この外筒１の内周面の例えば２ヵ所には、カム溝３が形成されている。
【００２６】
上記外筒１の内孔内には、全体を符号４で示す内筒が回転自在に嵌合している。この内筒４は、図１に示すように、扉等の外面側に露出するフランジ付盤状のキーガイド５と、尾栓６との間に、複数の仕切板７、７が間隙を介して内筒軸線方向に積層されて配設されている。図示の実施例では、第１及至第７仕切板７−１〜７−７が設けられている。
【００２７】
各仕切板７は、例えば図３に示すように、全体の形状が略円形の板状体であり、図３で左右両側には円弧状の挿入片７ａ，７ａが一体に形成され、中央部には例えば略Ｗ字形の鍵挿通孔７ｂと、台形と矩形とを組合せた六角形のバックアップピン挿通孔７ｃとが開口している。
【００２８】
又、図３において上端部には、円形の支軸孔７ｄが開口している。更に又、鍵挿通孔７ｂに関して支軸孔７ｄと反対側の外周部は図示のように凸字形に切り欠かれ、後述のロッキングバーを内筒の半径方向に移動可能に案内するための案内溝７ｅが形成されている。
【００２９】
上記のように構成された例えば７枚の仕切板７−１〜７−７、後述の作動板、前記キーガイド５及び尾栓６は、図１及び図８に示すリテーナ８、８を介して相互に一体的に結合され、内筒４を構成している。
【００３０】
上記リテーナ８は、円筒の一部をその母線に沿って一定の幅で切り欠いた形状の、湾曲した板状体で（図示せず）、その長さ方向に沿って、仕切板７の挿入片７ａと嵌合する矩形の開口が列設されており、これら一対のリテーナ８、８は、仕切板７、７を介して相互に結合されるのだが、その構造は既に周知であるから、更に詳細な説明は省略する。
【００３１】
上記のように構成された内筒４の一の仕切板７と、隣接する他の仕切板７との間に形成されたスロットには、図４に示すように、全体の形状が略Ｃ字形のタンブラー９が挿設されている。
【００３２】
各タンブラー９は、内筒４を鍵孔１１と平行に貫通する支軸１２（図１参照）により、スロット内で揺動可能に軸支され、一端をばね受け溝９ａに係合させたタンブラーばね１３（図７参照）の弾力により、その中央部が鍵孔１１（図１、図２及び図７参照）に近接する方向に付勢されているが、鍵孔１１に鍵が挿入されていない常態においては、内筒４を鍵孔１１と平行に貫通するバックアップピン１４に係止されるのは通常のレバータンブラー錠と同様である。
【００３３】
尚、レバータンブラー９の自由端部外側縁には、図４に示すように、解錠切り欠き９ｂが形成されており、この解錠切り欠きの形成位置は対応する合鍵の鍵溝の深さに応じて変えられている。
【００３４】
要するに、合鍵が鍵孔１１に挿入され、このレバータンブラー９に対応する鍵溝がレバータンブラーの中央部と係合した時、その解錠切り欠き９ｂが、常態において前記カム溝中に定座するロッキングバー１５（図１参照）と整合する。
【００３５】
この状態で合鍵を介して内筒４を回すと、仕切板７（図３参照）の前記案内溝７ｅに係合しているロッキングバー１５も内筒４と一体に回動し、その外側縁が外筒のカム溝３の斜面に押圧される結果、ロッキングバー１５とカム溝３の斜面との間に生じる楔作用により、ロッキングバー１５は内筒４の半径方向で鍵孔１１に近接する方向に移動する。
【００３６】
この場合、レバータンブラー９、９の解錠切り欠き９ｂ、９ｂがロッキングバー１５に整合していれば、ロッキングバー１５の内側縁はレバータンブラーの解錠切り欠き９ｂに係入し、ロッキングバーとレバータンブラーとの干渉が生じないので、内筒４の更なる回動が可能になる。すなわち、このレバータンブラー錠は解錠状態となる。
【００３７】
上記複数のレバータンブラーの内一つでも、その解錠切り欠き９ｂがロッキングバー１５と整合していない時には、ロッキングバー１５はそのレバータンブラー９の自由端部外側端縁と干渉し、以後更なる内筒４の回動は不可能となる。すなわち、この場合レバータンブラー錠は解錠されない。
【００３８】
以上述べたのは所謂レバータンブラー錠の代表的な構成であるが、本発明によるコンス・タンブラー錠は、上記したレバータンブラー錠の一部を変更してコンストラクション装置を組込んでいる。
【００３９】
すなわち、図１に示すコンス・タンブラー錠においては、複数のレバータンブラー９、９の内少なくとも１個のタンブラーを休止タンブラー９０として指定する。図１に示す実施例においては、鍵穴１１の外側の開口から見て奥の５個のレバータンブラーが休止タンブラー９０−１〜９０−５として指定されている。
【００４０】
上記休止タンブラー９０は、図５に示すように、通常のレバータンブラー９と同様の形状であり、その自由端部外側縁には解錠切り欠き９ｂも形成されている。異なるところは、その自由端部内側縁に係止突起９０ａが形成されている点のみである。
【００４１】
尚、図５に示す実施例においては、係止突起９０ａが長くなっており、あたかも突起ではなく段部のような形状であるが、それは設計上の問題であって、実際には段部である必要はなく、突起で良い。
【００４２】
又、係止突起９０ａの形成箇所と解錠切り欠き９ｂとの位置関係は、鍵孔１１に鍵が挿入されていない常態において、係止突起９０ａがバックアップピン１４に当接してその角度位置に係止されているとき、解錠切り欠き９ｂがロッキングバー１５に整合するように設定するものとする。
【００４３】
一方、各休止タンブラー９０の近傍におけるバックアップピン１４の部分は、休止タンブラー９０、９０に対応して断続的に切り欠かれ、少なくとも休止タンブラーと同数の切り欠き部分１４ａ、１４ａが形成されている。
【００４４】
上記バックアップピン１４の各切り欠き部分１４ａの形成箇所は、そのロッキングバー１５に対向する側面部分で、且つ、対応する休止タンブラー９０より鍵孔１１の開口に近い部分である。
【００４５】
又、バックアップピン１４の各切り欠き部分１４ａのロッキングバー１５から見た切込み深さは、この切り欠き部分１４ａと休止タンブラー９０とが内筒軸線方向において整合したとき、後者の係止突起９０ａがこの切り欠き部分を潜り抜けることができる程度に設定されている。
【００４６】
更に又、バックアップピン１４は、図１に示すように、圧縮コイルばねとしてのリセットばね１６の弾力により、切り欠き部分が対応する休止タンブラー９０と整合する方向に付勢されている。
【００４７】
他方、図１はコンストラクション装置が作動している状態を示し、この状態では、バックアップピンの切り欠き部分１４ａが対応する休止タンブラー９０と整合しない位置にバックアップピン１４が係止されている。
【００４８】
上記バックアップピン１４を作動位置に係止し、コンストラクション装置を作動させるため、内筒最奥の仕切板がバックアップピン１４を作動位置に係止する作動板７０として指定されている。
【００４９】
この作動板７０の形状構造は、図６に示すように、概ね、他の仕切板７（図３参照）と同様である。異なるところの第一点は、支軸１２が挿通される支軸孔７０ｄが長孔となっていて、作動板７０が内筒の半径方向に移動できることである。
【００５０】
又、バックアップピン挿通孔７０ｃと案内溝７０ｅとが矩形になっているのは技術的には別に意味は無いが、バックアップピン挿通孔７０ｃの両側、及び案内溝７０ｅの両側の計４ヵ所のハッチングを施した部分は、図面手前側に突出してリセット突起７０ｆを構成している。
【００５１】
尚、図示の実施例では、このリセット突起７０ｆ、７０ｆは図７に示すように後述のリセットタンブラー１８を挟むように配設されているが、実際にはリセットタンブラー１８の自由端部内側端縁に臨むもの（図７で上側のもの）だけあれば作動に支障はない。
【００５２】
そして、この作動板７０は、図１に示すように、作動板ばね１７、１７（図７参照）の弾力により、バックアップピンの内端部の切り欠き部分１４ａとは反対側の側面に形成された係止切り欠き（付番せず）と係合する方向に付勢されている。
【００５３】
一方、この作動板７０に重合するようにして、作動板７０と尾栓６との間に形成されたスロットにリセットタンブラー１８が挿設されている。
【００５４】
このリセットタンブラー１８は、図７に示すように、その支軸挿通孔１８ｄが長孔になっていて、作動板７０と同様に、全体として内筒半径方向に移動できる点が他のレバータンブラー９とは異なっている。
【００５５】
その他の点は、例えばタンブラーばね１３の弾力によりその中央部が鍵孔１１に近接する方向に付勢されている点、或いは自由端部外側縁に解錠切り欠き９ｂが形成されている点等は、他のレバータンブラー９と同様である。
【００５６】
尚、リセットタンブラー１８は、その自由端部が前記作動板７０のリセット突起７０ｆ、７０ｆの間に挟まれた状態でスロット内に組込まれる。
【００５７】
上記のように構成された本発明の一実施例によるコンス・タンブラー錠は、コンストラクション装置作動時には、図１及び図７に示すように、バックアップピン１４が作動板７０によって、コンストラクション装置作動位置に係止されている。
【００５８】
工事中、図７に示すように、リセットタンブラー１８に対応する部分を細くしたコンストラクションキーＣＫを鍵孔に挿入すると、コンストラクションキーＣＫはリセットタンブラー１８に接触せず、したがってリセットタンブラー１８の解錠切り欠き９ｂはロッキングバー１５と整合している。
【００５９】
このとき内筒を回せば、ロッキングバー１５はリセットタンブラーとは干渉せずに内筒半径方向に移動するから、他のレバータンブラー９、９も解錠角度位置に置かれることを条件として、このレバータンブラー錠は工事期間中コンストラクションキーによって施解錠できる。
【００６０】
尚、図示の実施例では、コンストラクションキーＣＫのリセットタンブラー１８に臨む部分が細くなっており、リセットタンブラーに接触しないが故に、予め解錠切り欠き９ｂをロッキングバー１５と整合させてあるリセットタンブラーをロッキングバー１５と干渉させないような構造であるが、これは、コンストラクションキーＣＫによりリセットタンブラーを強制的に押動し、その押動の結果解錠切り欠き９ｂがロッキングバー１５と整合するようにしてもよい。
【００６１】
しかして、工事完了後最初に合鍵ＬＫを鍵孔１１に挿入すると、図８に示すように、合鍵ＬＫがリセットタンブラー１８を外側に押動し、その結果、リセットタンブラーの解錠切り欠き９ｂがロッキングバー１５と整合しなくなる。
【００６２】
この状態で内筒４を回動させると、図９に示すように、楔作用により外筒のカム溝３から外筒１の内周面に乗り上がるロッキングバー１５が、その過程において、内筒半径方向に移動してリセットタンブラー１８の自由端部と干渉し、これをロッキングバー１５の移動方向と同方向に押動する。
【００６３】
このとき、リセットタンブラー１８と作動板７０とは、後者に形成された突起を介して一体的に結合されているから、両者は内筒の半径方向、すなわち図８で上方に移動し、その結果作動板７０とバックアップピン１４との係合が解かれ、後者は前者から解放される。
【００６４】
すると、バックアップピン１４はリセットばね１６（図１参照）の弾力によりその切り欠き部分１４ａが対応する休止タンブラー９０と整合する方向に移動し、このようにしてコンストラクション装置が解除される。
【００６５】
尚、図示の実施例では、リセットタンブラー１８の動きを作動板７０に伝達するため、作動板７０に突起を形成し、これをリセットタンブラー１８に係合させるようにしたが、これは、例えばリセットタンブラー１８の作動板側の面に係合ピンを突設し、これを作動板７０に形成した長穴に係合させるようにしてもよい（図示せず）。この場合、長穴の形状は、合鍵ＬＫによるリセットタンブラーの移動と同様の円弧状となる。
【００６６】
図１０及び図１１はこの発明の別の実施例を示し、この実施例は、作動板７０として、仕切板の図における下半分のみを用いるようにしたものである。その他の点については、上記した実施例と変るところはないから、更に詳細な説明は省略する。
【００６７】
尚、図１０及び図１１において、図７及至図９と等符号を付した部分は、図７及至図９と均等な部分を示す。
【００６８】
【発明の効果】
以上の説明から明らかなように、本発明は、選択された少なくとも１個のタンブラーを休止タンブラーとして指定し、これら休止タンブラーに係止突起を形成して、コンストラクション装置作動時、この係止突起をバックアップピンに係合させて休止タンブラーを不作動状態に置き、もってこの休止タンブラーに臨む部分を細くしたコンストラクションキーを使用可能とし、一方、工事完了後最初の合鍵の使用により、バックアップピンを内筒軸線方向に移動させ、休止タンブラーをバックアップピンの切り欠き部分を潜らせて自由にし、もってコンストラクション装置を専門の工具や技術無しに解除できるようにしたので、コンストラクション装置の解錠作業を格段に合理化することができる。
【００６９】
又、同じ理由により、合鍵を取り扱う者の数を最小にすることができ、錠前の安全性をより一層高めることができる。
【００７０】
更に又、原理上、コンストラクションキーの形状を合鍵のそれとは全く異なったものにすることができるので、コンストラクションキーから合鍵を複製される恐れが全く無い、等種々の効果を奏する。
【図面の簡単な説明】
【図１】この発明の一実施例によるコンス・タンブラー錠の縦断面図で、コンストラクション装置が作動している状態を示す。
【図２】そのコンス・タンブラー錠の正面図。
【図３】仕切板の平面図。
【図４】タンブラーの平面図。
【図５】休止タンブラーの平面図。
【図６】作動板の平面図。
【図７】図１に示すコンス・タンブラー錠の横断面図で、コンストラクション装置が作動している状態を示す。
【図８】図７と同様の横断面図で、合鍵が鍵孔に挿入された状態を示す。
【図９】図８と同様の横断面図で、コンストラクション装置が解除された状態を示す。
【図１０】本発明の別の実施例によるコンス・タンブラー錠の図７と同様の横断面図で、合鍵が鍵孔に挿入された状態を示す。
【図１１】図１０と同様の横断面図で、コンストラクション装置が解除された状態を示す。
【符号の説明】
１  外筒
４  内筒
７  仕切板
９  タンブラー
９ｂ  解錠切り欠き
１２  支軸
１４  バックアップピン
１４ａ  切り欠き部分
１５  ロッキングバー
１６  リセットばね
１８  リセットタンブラー
７０  作動板
７０ｆ  リセット突起
９０  休止タンブラー
９０ａ  係止突起
ＣＫ  コンストラクションキー
ＬＫ  合鍵
【図１】
0003583807.tif 000002
【図２】
0003583807.tif 000003
【図３】
0003583807.tif 000004
【図４】
0003583807.tif 000005
【図５】
0003583807.tif 000006
【図６】
0003583807.tif 000007
【図７】
0003583807.tif 000008
【図８】
0003583807.tif 000009
【図９】
0003583807.tif 000010
【図１０】
0003583807.tif 000011
【図１１】
0003583807.tif 000012